(57)【要約】【課題】生ゴミの水分を確実且つ十分に除去することができる水切り装置を提供する。【解決手段】水分を含んだ生ゴミを水切りし得る水切り装置であって、上方に開口して生ゴミを収容可能とされるとともに、その生ゴミから流出した水分を排出し得る水切り孔が形成された収容部１と、収容部１の開口に脱着自在な蓋部２と、操作可能な操作部３と、操作部３の操作によって蓋部２に対して上昇又は下降し得る可動部４と、可動部４に形成されるとともに、当該可動部４と共に下降することで収容部１に収容された生ゴミを押圧して水切り可能な押圧部５とを具備したものである。【選択図】図１
2014156291.tif 000002
【特許請求の範囲】
【請求項１】
水分を含んだ生ゴミを水切りし得る水切り装置であって、
上方に開口して生ゴミを収容可能とされるとともに、その生ゴミから流出した水分を排出し得る水切り孔が形成された収容部と、
該収容部の開口に脱着自在な蓋部と、
操作可能な操作部と、
該操作部の操作によって前記蓋部に対して上昇又は下降し得る可動部と、
該可動部に形成されるとともに、当該可動部と共に下降することで前記収容部に収容された生ゴミを押圧して水切り可能な押圧部と、
を具備したことを特徴とする水切り装置。
【請求項２】
前記蓋部に対する可動部の取り付け部には、蓋部側に形成されたネジ形状と螺合し得るネジ部が形成されるとともに、前記操作部を回転操作することで当該ネジ部を介して前記可動部が上昇又は下降し得ることを特徴とする請求項１記載の水切り装置。
【請求項３】
前記可動部には、前記収容部に収容された生ゴミの臭い又はヌメリを除去するための薬剤を収容した薬剤収容部が取付可能とされたことを特徴とする請求項１又は請求項２記載の水切り装置。
【請求項４】
前記薬剤収容部は、前記可動部における前記押圧部が形成された位置より先端側に取付可能とされたことを特徴とする請求項３記載の水切り装置。
【請求項５】
前記薬剤は、固形状のものから成るとともに、前記薬剤収容部に複数の当該薬剤を上下方向に積み重ねて収容可能とされたことを特徴とする請求項３又は請求項４記載の水切り装置。
【請求項６】
前記収容部は、平面視で三角形状とされ、台所の流し台における隅部に設置可能とされたことを特徴とする請求項１〜５の何れか１つに記載の水切り装置。
【請求項７】
前記収容部の下部に敷設可能とされ、前記水切り孔から排出された水分を受け得る受け部を具備したことを特徴とする請求項１〜６の何れか１つに記載の水切り装置。
【発明の詳細な説明】
【技術分野】
【０００１】
本発明は、例えば台所の流し台に設置され、水分を含んだ生ゴミを水切りし得る水切り装置に関するものである。
【背景技術】
【０００２】
台所の流し台（シンク）の隅部には、従来より、生ゴミを収容し得る所謂三角コーナーと称される容器が設置可能とされている。かかる従来の三角コーナーは、平面視で三角形状の容器から構成されており、例えば、調理過程で生じた食材や残飯等の生ゴミを一時的に収容可能なものとされており、生ゴミが一定量溜まった際、持ち運んで内部の生ゴミをゴミ箱に移すことが可能とされている。なお、かかる先行技術は、文献公知発明に係るものでないため、記載すべき先行技術文献情報はない。
【発明の概要】
【発明が解決しようとする課題】
【０００３】
しかしながら、上記従来の三角コーナーにおいては、例えば側壁に網目が形成されることにより、生ゴミの水分を自然に流出させ得るものが主流であるものの、生ゴミの水分を十分に取り除くことができず、ゴミ箱に捨てる際に水分が床に垂れ落ちたり、或いは水分の分だけ生ゴミの重量や嵩が大きくなってしまうことから、ゴミ処理上の問題となっていた。
【０００４】
本発明は、このような事情に鑑みてなされたもので、生ゴミの水分を確実且つ十分に除去することができる水切り装置を提供することにある。
【課題を解決するための手段】
【０００５】
請求項１記載の発明は、水分を含んだ生ゴミを水切りし得る水切り装置であって、上方に開口して生ゴミを収容可能とされるとともに、その生ゴミから流出した水分を排出し得る水切り孔が形成された収容部と、該収容部の開口に脱着自在な蓋部と、操作可能な操作部と、該操作部の操作によって前記蓋部に対して上昇又は下降し得る可動部と、該可動部に形成されるとともに、当該可動部と共に下降することで前記収容部に収容された生ゴミを押圧して水切り可能な押圧部とを具備したことを特徴とする。
【０００６】
請求項２記載の発明は、請求項１記載の水切り装置において、前記蓋部に対する可動部の取り付け部には、蓋部側に形成されたネジ形状と螺合し得るネジ部が形成されるとともに、前記操作部を回転操作することで当該ネジ部を介して前記可動部が上昇又は下降し得ることを特徴とする。
【０００７】
請求項３記載の発明は、請求項１又は請求項２記載の水切り装置において、前記可動部には、前記収容部に収容された生ゴミの臭い又はヌメリを除去するための薬剤を収容した薬剤収容部が取付可能とされたことを特徴とする。
【０００８】
請求項４記載の発明は、請求項３記載の水切り装置において、前記薬剤収容部は、前記可動部における前記押圧部が形成された位置より先端側に取付可能とされたことを特徴とする。
【０００９】
請求項５記載の発明は、請求項３又は請求項４記載の水切り装置において、前記薬剤は、固形状のものから成るとともに、前記薬剤収容部に複数の当該薬剤を上下方向に積み重ねて収容可能とされたことを特徴とする。
【００１０】
請求項６記載の発明は、請求項１〜５の何れか１つに記載の水切り装置において、前記収容部は、平面視で三角形状とされ、台所の流し台における隅部に設置可能とされたことを特徴とする。
【００１１】
請求項７記載の発明は、請求項１〜６の何れか１つに記載の水切り装置において、前記収容部の下部に敷設可能とされ、前記水切り孔から排出された水分を受け得る受け部を具備したことを特徴とする。
【発明の効果】
【００１２】
請求項１の発明によれば、押圧部により収容部に収容された生ゴミを押圧して水切り可能とされているので、生ゴミの水分を強制的に収容部の外部に排出させることができ、生ゴミの水分を確実且つ十分に除去することができる。
【００１３】
請求項２の発明によれば、蓋部に対する可動部の取り付け部には、蓋部側に形成されたネジ形状と螺合し得るネジ部が形成されるとともに、操作部を回転操作することで当該ネジ部を介して可動部が上昇又は下降し得るので、操作部から手を離した状態において、押圧部をその位置に留まらせることができ、長時間に亘って押圧部による生ゴミに対する押圧を維持させることができる。
【００１４】
請求項３の発明によれば、可動部には、収容部に収容された生ゴミの臭い又はヌメリを除去するための薬剤を収容した薬剤収容部が取付可能とされたので、水切りと併せて生ゴミの消臭又はヌメリ取りを行うことができる。
【００１５】
請求項４の発明によれば、薬剤収容部は、可動部における押圧部が形成された位置より先端側に取付可能とされたので、押圧部による生ゴミの押圧状態において、薬剤収容部を生ゴミ中に至らせることができ、薬剤の成分を生ゴミに拡散させることができることから、生ゴミの消臭又はヌメリ取りをより確実に行わせることができる。
【００１６】
請求項５の発明によれば、薬剤は、固形状のものから成るとともに、薬剤収容部に複数の当該薬剤を上下方向に積み重ねて収容可能とされたので、下方の薬剤がなくなった際、それより上方の薬剤が自重によって順次下降し得るので、生ゴミの消臭又はヌメリ取り効果を長期に亘って維持させることができる。
【００１７】
請求項６の発明によれば、収容部は、平面視で三角形状とされ、台所の流し台における隅部に設置可能とされたので、生ゴミを収容させる際、従来の三角コーナーと同様の使用形態で使用することができる。
【００１８】
請求項７の発明によれば、収容部の下部に敷設可能とされ、水切り孔から排出された水分を受け得る受け部を具備したので、生ゴミから流出した水分が流し台に流れてしまうのを回避することができる。
【図面の簡単な説明】
【００１９】
【図１】本発明の実施形態に係る水切り装置を示す平面図及び正面図
【図２】同水切り装置における収容部を示す平面図及び正面図
【図３】同水切り装置における蓋部を示す平面図及び正面図
【図４】同水切り装置における操作部、可動部及び押圧部を示す正面図及び底面図
【図５】同水切り装置における薬剤収容部を示す断面図
【図６】同水切り装置における押圧部にて生ゴミを押圧する前の状態を示す模式図
【図７】同水切り装置における押圧部にて生ゴミを押圧した状態を示す模式図
【発明を実施するための形態】
【００２０】
以下、本発明の実施形態について図面を参照しながら具体的に説明する。
本実施形態に係る水切り装置は、台所の流し台に設置され、水分を含んだ生ゴミを水切りし得るもので、図１に示すように、収容部１と、蓋部２と、操作部３と、可動部４と、押圧部５と、ネジ部６と、薬剤収容部７とから主に構成されている。なお、本実施形態においては、何れの構成部品も硬質樹脂から成るものとされているが、他の材料から成るものであってもよい。
【００２１】
収容部１は、図２に示すように、上方に開口１ｂを有しつつ内部に収容空間Ｓを有することで生ゴミを投入及び収容可能とされるとともに、その生ゴミから流出した水分を排出し得る水切り孔１ａが底面に複数形成されている。なお、水切り孔１ａは、収容空間Ｓに収容された生ゴミが外部に漏れない程度の大きさであればよく、少なくとも収容部１の下部に形成されていれば足りる。また、本実施形態に係る収容部１は、平面視で三角形状とされ、台所の流し台における隅部に従来の三角コーナーの如く設置可能とされている。
【００２２】
蓋部２は、図１、３に示すように、収容部１の開口１ｂに脱着自在なもので、収容部１に取り付けられた状態で当該収容部１の開口１ｂを覆って塞ぐよう構成されている。なお、蓋部２及び開口１ｂの所定部位に係止手段を設け、蓋部２が開口１ｂに取り付けられた状態で係止手段を係止してロック可能なものとしてもよい。また、蓋部２には、表裏面を貫通する貫通孔２ａが形成されており、当該貫通孔２ａに可動部４におけるネジ部６が挿通可能とされている。この貫通孔２ａの内周壁面には、ネジ部６のネジ形状Ｎｂと螺合し得るネジ形状Ｎａが形成されている。
【００２３】
操作部３は、円筒状の部位から成るとともに、操作者が手で掴んで回転操作可能なもので、ネジ部６の一端（上端）に形成されている。可動部４は、図４に示すように、操作部３から棒状に延設されるとともに、所定範囲にネジ部６を有するもので、操作部３の回転操作によって蓋部２に対して上昇又は下降し得るものである。すなわち、蓋部２に対する可動部４の取り付け部には、蓋部２側に形成されたネジ形状Ｎａと螺合し得るネジ部６が形成されるとともに、操作部３を回転操作することで当該ネジ部６を介して（ネジ部６と共に）可動部４が上昇又は下降し得るようになっている。
【００２４】
なお、本実施形態においては、可動部４におけるネジ部６は一体成形されているが、これらを別部品として互いに接続するようにしてもよい。また、本実施形態においては、蓋部の貫通孔２ａにおけるネジ形状Ｎａが雌ネジとされ、この雌ネジに螺合し得る雄ネジがネジ部６の側面に形成されており、これら雌ネジと雄ネジとの螺合により可動部４が進退して収容部１内で上下動するよう構成されているが、他の構成により可動部４を上下動させるようにしてもよい。
【００２５】
押圧部５は、図４に示すように、収容部１の収容空間Ｓに倣った形状（本実施形態においては三角形状）の部材から成るもので、可動部４に一体形成されるとともに、当該可動部４と共に下降することで収容部１の収容空間Ｓに収容された生ゴミを押圧して水切り可能なものである。すなわち、図６、７に示すように、収容部１内に生ゴミＷを収容した状態で蓋部２を取り付けるとともに、操作部３を所定方向に回転させると（図６参照）、可動部４が下降して押圧部５が生ゴミＷを下方に押圧する（図７参照）ので、生ゴミＷに含まれる水分が強制的に絞り出され、水切り孔１ａから外部に排出され得るようになっているのである。
【００２６】
ここで、本実施形態においては、蓋部２に対する可動部４の取り付け部には、蓋部２側に形成されたネジ形状Ｎａと螺合し得るネジ部６が形成されるとともに、操作部３を回転操作することで当該ネジ部６を介して可動部４が上昇又は下降し得るので、操作部３から手を離した状態において、押圧部５をその位置に留まらせることができ（図７参照）、長時間に亘って押圧部５による生ゴミに対する押圧を維持させることができる。
【００２７】
また、本実施形態においては、同図に示すように、収容部１の下部に敷設可能とされ、水切り孔１ａから排出された水分を受け得る受け部８を具備している。かかる受け部８は、皿状に成形された樹脂製部材から成り、水切り孔１ａから排出した生ゴミの水分を受けて収容させることで、当該水分が流し台に流れてしまうのを回避することができるようになっている。なお、受け部８は、収容部１の下部に任意に敷設可能とされるものであり、必要でない場合は敷設しなくてもよい。
【００２８】
薬剤収容部７は、図５に示すように、可動部４の先端に形成された取付凹部４ａに取付可能とされたもので、収容部１に収容された生ゴミの臭い又はヌメリを除去するための薬剤Ｊを内部に収容し得るものである。本実施形態においては、薬剤Ｊは、固形状のもの（例えば円板状の錠剤）から成るとともに、薬剤収容部７に複数の当該薬剤Ｊを上下方向に積み重ねて収容可能とされている。これにより、下方の薬剤Ｊがなくなった際、それより上方の薬剤が自重によって順次下降し得るので、生ゴミの消臭又はヌメリ取り効果を長期に亘って維持させることができる。
【００２９】
さらに、薬剤収容部７の先端は、メッシュ状の部位７ａとされており、最下部に位置する薬剤Ｊの成分が外部に流出し得るようになっている。また、本実施形態においては、薬剤収容部７（具体的には、薬剤収容部７のメッシュ状の部位７ａ）は、可動部４における押圧部５が形成された位置より先端側（生ゴミが位置する側）に取付可能とされている。これにより、図７に示すように、押圧部５による生ゴミＷの押圧状態において、薬剤収容部７のメッシュ状の部位７ａを生ゴミＷ中に至らせることができ、そこから薬剤Ｊの成分を生ゴミＷに拡散させることができるので、生ゴミの消臭又はヌメリ取りをより確実に行わせることができる。
【００３０】
しかして、生ゴミの水分を除去した後、蓋部２を収容部１から取り外せば、水分が除去された生ゴミを取り出してゴミ箱等に捨てることができる。したがって、本実施形態によれば、押圧部５により収容部１に収容された生ゴミを押圧して水切り可能とされているので、生ゴミの水分を強制的に収容部１の外部に排出させることができ、生ゴミの水分を確実且つ十分に除去することができる。また、収容部１（本実施形態においては蓋部２も同様）は、平面視で三角形状とされ、台所の流し台における隅部に設置可能とされたので、生ゴミを収容させる際、従来の三角コーナーと同様の使用形態で使用することができる。
【００３１】
次に、本実施形態における水切りの技術的優位性を示す実験結果について説明する。
茶殻及びコーヒー殻（以下これを生ゴミと称する）を７５０ｇを用意し、これを収容部１内に収容させた後、蓋部２を収容部１の開口１ｂに取り付けた。そして、操作部３を回転させることで押圧部５による生ゴミに対する押圧を行い、その状態を５分間維持したところ、生ゴミから水分が絞り出され、生ゴミの重量は１６５ｇ減少して５８５ｇとなった。さらに、１２時間、押圧部５による押圧状態を続けたところ、生ゴミの重量が３０ｇ減少して５５５ｇとなり、結果的に生ゴミの重量が２６％程度減少した。
【００３２】
以上、本実施形態について説明したが、本発明はこれに限定されるものではなく、収容部１を他の形状のものとしてもよく、例えば、円筒状、菱形又は長方形状の容器等としてもよい。なお、菱形又は長方形状のものは、生ゴミの水切り装置として、円筒状のものは、白菜の漬け物、大根のなます、うりもみ等の食材の水切り装置として使用するようにしてもよい。
【００３３】
また、蓋部２は、収容部１の開口１ｂを覆って塞ぐものに限定されず、開口１ｂとの間に隙間が生じるものであってもよい。さらに、薬剤収容部７が取り付けられず、消臭やヌメリ除去効果を奏しないものであってもよい。なお、押圧部５は、操作部の操作により上下動し、生ゴミを押圧するものであれば足り、本実施形態の如くネジ部６による動作に代えて、他の動作（リンク機構による動作等）であってもよい。
【産業上の利用可能性】
【００３４】
上方に開口して生ゴミを収容可能とされるとともに、その生ゴミから流出した水分を排出し得る水切り孔が形成された収容部と、収容部の開口に脱着自在な蓋部と、操作可能な操作部と、操作部の操作によって蓋部に対して上昇又は下降し得る可動部と、可動部に形成されるとともに、当該可動部と共に下降することで収容部に収容された生ゴミを押圧して水切り可能な押圧部とを具備した水切り装置であれば、外観形状が異なるもの、或いは他の機能を有するものに適用してもよい。
【符号の説明】
【００３５】
１  収容部
２  蓋部
３  操作部
４  可動部
５  押圧部
６  ネジ部
７  薬剤収容部
【図１】
2014156291.tif 000003
【図２】
2014156291.tif 000004
【図３】
2014156291.tif 000005
【図４】
2014156291.tif 000006
【図５】
2014156291.tif 000007
【図６】
2014156291.tif 000008
【図７】
2014156291.tif 000009